(57)【特許請求の範囲】
【請求項１】
チューナから出力された映像中間信号を増幅するとともに、無効信号の入力に応じてゲインを最小にする増幅手段と、
制御電圧に応じた発振周波数の出力信号を出力するとともにフリーラン周波数調整電圧に応じてフリーラン周波数を変更する電圧制御発振回路と、前記増幅手段により増幅された映像中間信号と前記出力信号との位相検波をおこなう位相検波回路と、を具備し、前記位相検波回路の位相検波結果に基づいて得られる信号を前記制御電圧として前記電圧制御発振回路に入力する位相同期ループ手段と、
前記出力信号を用いて、前記増幅手段により増幅された映像中間信号に対する映像検波をおこない、映像検波信号を出力する映像信号検波手段と、
前記出力信号の周波数変化を直流電圧に変換するとともに、当該直流電圧を、前記映像中間信号の周波数が所定の映像中間周波数となるように前記チューナにフィードバック入力するための仮電圧として出力する自動周波数同調手段と、
前記映像検波信号の弱電界状態または無信号状態を検出して異常信号を出力する映像検波信号検出手段と、
前記仮電圧に基づいて、前記チューナにフィードバック入力する自動周波数同調電圧を生成して出力する一方、前記異常信号が入力された際には所定の自動周波数同調電圧を出力する自動周波数同調電圧生成手段と、
前記無効信号に応じて、前記異常信号が前記自動周波数同調電圧生成手段に入力されるのを阻止するスイッチング手段と、
を備えたことを特徴とする映像中間周波処理装置。
【請求項２】
チューナから出力された映像中間信号を増幅する増幅手段と、
制御電圧に応じた発振周波数の出力信号を出力するとともにフリーラン周波数調整電圧に応じてフリーラン周波数を変更する電圧制御発振回路と、前記増幅手段により増幅された映像中間信号と前記出力信号との位相検波をおこなう位相検波回路と、を具備し、前記位相検波回路の位相検波結果に基づいて得られる信号を前記制御電圧として前記電圧制御発振回路に入力する位相同期ループ手段と、
前記出力信号を用いて、前記増幅手段により増幅された映像中間信号に対する映像検波をおこない、映像検波信号を出力する映像信号検波手段と、
前記出力信号の周波数変化を直流電圧に変換するとともに、当該直流電圧を、前記映像中間信号の周波数が所定の映像中間周波数となるように前記チューナにフィードバック入力するための仮電圧として出力する自動周波数同調手段と、
前記映像検波信号の弱電界状態または無信号状態を検出して異常信号を出力する映像検波信号検出手段と、
前記仮電圧に基づいて、前記チューナにフィードバック入力する自動周波数同調電圧を生成して出力する一方、前記異常信号が入力された際には所定の自動周波数同調電圧を出力する自動周波数同調電圧生成手段と、
無効信号に応じて、前記異常信号が前記自動周波数同調電圧生成手段に入力されるのを阻止する第１のスイッチング手段と、
前記無効信号に応じて、前記制御電圧が前記電圧制御発振回路に入力されるのを阻止する第２のスイッチング手段と、
を備えたことを特徴とする映像中間周波処理装置。
【請求項３】
映像信号処理におけるノイズ・リダクション処理やＹ／Ｃ分離処理等の各種処理モードを設定するために各構成回路に接続されたバスを備え、
前記無効信号は、前記バスを介して入力されることを特徴とする請求項１または２に記載の映像中間周波処理装置。
【請求項４】
前記電圧制御発振回路は、ザッピング手段を設け、フリーラン周波数調整電圧を決定する抵抗を、ザッピングにより設定されることを特徴とする請求項１、２または３に記載の映像中間周波処理装置。
【請求項５】
前記ザッピング手段は、メタルヒューズまたはツエナーダイオードから構成されることを特徴とする請求項４に記載の映像中間周波処理装置。
【発明の詳細な説明】
【０００１】
【発明の属する技術分野】
この発明は、テレビジョン受像機において映像検波をおこなう映像中間周波処理装置に関するものである。
【０００２】
【従来の技術】
一般に、テレビビジョン信号は、テレビジョン受像機を構成するチューナにおいて所望のチャネルに選局された後、あらかじめ規定された映像中間周波数ｆ0（たとえば日本ではｆ0＝５８．７５Ｈｚ、米国ではｆ0＝４５．７５Ｈｚ）を搬送波とするように、局部発振回路の発振周波数に基づいて映像中間周波信号に変換される。そこで、テレビジョン受像機は、この局部発振回路にて得られる発振周波数が真に映像中間周波数となるように、チューナから出力された映像中間周波信号の搬送波周波数と映像中間周波数ｆ0とのずれ量をＡＦＴ（Ａｕｔｏｍａｔｉｃ  Ｆｒｅｑｕｅｎｃｙ  Ｔｕｎｉｎｇ：自動周波数同調）回路にて検出し、検出した結果をチューナの局部発振回路へとフィードバックすることで、チューナから出力される映像中間信号の周波数を映像中間周波数に一致させている。
【０００３】
チューナは、このフィードバック制御によって、安定した映像中間信号を出力することができ、出力された映像中間信号は、次段の映像中間周波処理装置に入力される。映像中間周波処理装置は、入力した映像中間信号に対して映像検波をおこなう装置であり、一般に、上記したフィードバック制御をおこなうためのＡＦＴ回路等の各種回路を備えて構成される。
【０００４】
以下に、従来の映像中間周波処理装置の構成および動作について説明する。図３は、従来の映像中間周波処理装置の概略構成を示すブロック図である。映像中間周波処理装置は、一般的に、ＩＣ（Ｉｎｔｅｇｒａｔｅｄ  Ｃｉｒｃｕｉｔ）で実現されており、ＰＬＬ（同期位相ループ：Ｐｈａｓｅ−Ｌｏｃｋｅｄ  Ｌｏｏｐ）を用いた映像検波方式を採用していることが多い。なお、図３においては、説明を簡単にするため、本発明に関係しないＩＣ内の他の部分については省略している。
【０００５】
図３において、従来の映像中間周波処理装置３００は、まず、パッドＰ１を介して、ＡＧＣ（Ａｕｔｏ  Ｇａｉｎ  Ｃｏｎｔｒｏｌ）アンプ等のＶＩＦ＿ＡＭＰ１１に、映像中間信号（ＶＩＦ信号）を入力する。ここで、この入力される映像中間信号は、チューナ（図示せず）から出力された後、ＳＡＷ（Ｓｕｒｆａｃｅ  Ａｃｏｕｓｔｉｃ  Ｗａｖｅ  Ｆｉｌｔｅｒ：表面弾性波）フィルタなどの中間周波フィルタ（図示せず）に入力されることによって、隣りのチャネルなどの不要な信号が除去された状態の信号である。
【０００６】
ＶＩＦ＿ＡＭＰ１１を通った信号は、映像信号検波回路（ＶＩＤＥＯ＿ＤＥＴ．）１２に入力され、ここで映像ＡＭ検波がおこなわれる。そして、ＶＩＤＥＯ＿ＤＥＴ．１２の検波結果である映像検波信号（ＶＩＤＥＯ検波出力）は、パッドＰ４を介して出力されるとともに、ＩＦ＿ＡＧＣ回路１３に入力される。
【０００７】
ＩＦ＿ＡＧＣ回路１３は、映像検波信号の同期振幅を検出し、映像検波信号がつねに一定レベルとなるように上記したＶＩＦ＿ＡＭＰ１１を動作させる回路である。すなわち、ＶＩＦ＿ＡＭＰ１１は、このＩＦ＿ＡＧＣ回路１３の検出結果をＡＧＣ電圧として入力することにより、映像中間周波処理装置に入力されたＶＩＦ信号の振幅が変化しても、映像ＡＭ検波後の信号振幅を一定にすることができる。なお、このＩＦ＿ＡＧＣ回路１３から出力される信号は、パッドＰ２を介して、ローパスフィルタとして機能するＩＦ＿ＡＧＣフィルタ１４に接続されており、ＶＩＦ＿ＡＭＰ１１のＡＧＣ電圧として十分なＤＣ（直流）電圧に積分される。
【０００８】
また、図３に示すように、位相検波器（ＡＰＣ）１５と、電圧制御発振器（ＶＣＯ）１６と、パッドＰ３を介して接続されてローパスフィルタとして機能するＡＰＣフィルタ１７と、によりＰＬＬが構成されており、ＶＩＦ信号の搬送波と同周波数かつ同位相の信号が生成される。上記したＶＩＤＥＯ＿ＤＥＴ．１２は、このＰＬＬによって生成された信号、すなわち上記ＶＣＯ１６の出力信号を入力することで同期検波をおこない、検波出力であるベースバンドの映像検波信号を出力することができる。
【０００９】
また、上記ＰＬＬを構成するＶＣＯ１６の出力信号は、ＡＦＴ回路１８にも入力される。ＡＦＴ回路１８は、上述したように、ＶＩＦ信号の搬送波周波数と上記した所定の映像中間周波数ｆ0とのずれを検出し、そのずれに応じたＤＣ電圧を出力する回路である。ＡＦＴ回路そのものの役割、動作については一般的に広く知られているので、ここではその詳細説明については省略する。
【００１０】
なお、このＡＦＴ回路１８として、本出願と同出願人による先願発明「ＡＦＴ回路」を採用するのが好ましい。この先願発明「ＡＦＴ回路」は、上記ＶＣＯ１６の出力信号の周波数と、水晶発振回路等による安定した発振器による基準信号周波数と、を比較することで、構成回路のオフセットや温度特性などのバラツキ要因に依存しない安定したＡＦＴ動作を実現している。
【００１１】
このようなＡＦＴ回路１８では、たとえば、ＶＣＯ１６の出力信号の周波数が、映像中間周波数ｆ0に等しいときにはＶCC／２電圧（ＶCC：電源電圧）を出力する。一方、ＶＣＯ１６の出力信号の周波数が、映像中間周波数ｆ0より低いときはＶCC／２より高いＤＣ電圧を、逆に映像中間周波数ｆ0より高いときはＶCC／２より低いＤＣ電圧を、それぞれ周波数のずれに応じて出力する。
【００１２】
そして、ＡＦＴ回路１８から出力されたＤＣ電圧は、ＡＦＴ＿ＤＥＦＥＡＴ回路１９に入力される。ＡＦＴ＿ＤＥＦＥＡＴ回路１９は、ＡＦＴ回路１８の誤動作を防止するための回路であり、ＡＦＴ回路１８から出力されたＤＣ電圧をＡＦＴ電圧としてパッドＰ５を介して出力するか否かの判断をおこなう。ここで、上記したＩＦ＿ＡＧＣ回路１３は、映像検波信号に対し、弱電界状態や無信号状態を検出することもでき、また、図３に示すロック検出器（ＬＯＣＫ＿ＤＥＴ．）２０は、ＶＩＤＥＯ＿ＤＥＴ．１２の検波結果である映像検波信号を入力し、上記したＰＬＬのロックが外れた状態を検出する回路である。
【００１３】
ＡＦＴ＿ＤＥＦＥＡＴ回路１９は、これらＩＦ＿ＡＧＣ回路１３およびＬＯＣＫ＿ＤＥＴ．２０から出力される検出結果を入力し、入力した検出結果が、弱電界状態、無信号状態または上記ＰＬＬのロックが外れた状態を表す場合に、ＡＦＴ回路１８から出力されたＤＣ電圧をＡＦＴ電圧として出力せずに、１／２ＶCCをＡＦＴ電圧として固定して出力する。
【００１４】
映像中間周波処理装置は、以上に説明したような回路構成により、映像検波とチューナからの安定した映像中間信号の出力とを実現するが、ＶＣＯ１６のフリーラン周波数が、ＩＣの製造行程においてある程度ばらつくことから、そのフリーラン周波数を映像中間周波数ｆ0と同じになるように調整する必要がある。特に、この調整は、ＰＬＬの引き込み範囲の確保や、静位相誤差によるビデオ検波出力の特性劣化を防ぐために正確におこなう必要がある。
【００１５】
このフリーラン周波数の調整は、通常は、まず、ＶＩＦ信号を無信号状態にし、かつ、図３に示すように、ＩＦ＿ＡＧＣフィルタ１４と接続されたパッドＰ２を接地させるためのスイッチＳＷ１０をオンとすることで、ＶＩＦ＿ＡＭＰ１１のゲインを最小にした状態、すなわち外乱の影響を少なくした状態にする。そして、この状態において、パッドＰ４からわずかに漏れ出てくるＶＣＯ１６の信号成分の周波数を測定しながら、ＶＣＯ１６に入力するフリーラン周波数調整電圧を変化させて周波数の調整をおこなっている。
【００１６】
【発明が解決しようとする課題】
しかしながら、上記したフリーラン周波数の調整方法では、その周波数の測定をおこなうために、スペクトラムアナライザなどの高価な計測器をパッドＰ４に接続する必要があり、ＴＶセットの製造ラインにては、フリーラン周波数の調整が困難であるという問題があった。なお、このフリーラン周波数調整電圧を与える手段としては、最近では外部のマイコンからの調整信号をＩＣ内のバス・インターフェース回路にて用いられているＡ／ＤコンバータによってＤＣ変換して与えられる場合が多い。
【００１７】
この発明は、上記問題点を解決するためになされたもので、ＰＬＬを構成するＶＣＯのフリーラン周波数を容易に調整することができる映像中間周波処理装置を得ることを目的とする。
【００１８】
【課題を解決するための手段】
上述した課題を解決し、目的を達成するため、この発明にかかる映像中間周波処理装置にあっては、チューナから出力された映像中間信号を増幅するとともに、無効信号の入力に応じてゲインを最小にする増幅手段と、制御電圧に応じた発振周波数の出力信号を出力するとともにフリーラン周波数調整電圧に応じてフリーラン周波数を変更する電圧制御発振回路と、前記増幅手段により増幅された映像中間信号と前記出力信号との位相検波をおこなう位相検波回路と、を具備し、前記位相検波回路の位相検波結果に基づいて得られる信号を前記制御電圧として前記電圧制御発振回路に入力する位相同期ループ手段と、前記出力信号を用いて、前記増幅手段により増幅された映像中間信号に対する映像検波をおこない、映像検波信号を出力する映像信号検波手段と、前記出力信号の周波数変化を直流電圧に変換するとともに、当該直流電圧を、前記映像中間信号の周波数が所定の映像中間周波数となるように前記チューナにフィードバック入力するための仮電圧として出力する自動周波数同調手段と、前記映像検波信号の弱電界状態または無信号状態を検出して異常信号を出力する映像検波信号検出手段と、前記仮電圧に基づいて、前記チューナにフィードバック入力する自動周波数同調電圧を生成して出力する一方、前記異常信号が入力された際には所定の自動周波数同調電圧を出力する自動周波数同調電圧生成手段と、前記無効信号に応じて、前記異常信号が前記自動周波数同調電圧生成手段に入力されるのを阻止するスイッチング手段と、を備えたことを特徴とする。
【００１９】
この発明によれば、電圧制御発振回路のフリーラン周波数の調整をおこなう際に、増幅手段に無効信号（後述するＶＩＦ＿ＤＥＦＥＡＴ信号に相当する。）を入力することで、その増幅手段のゲインを最小にして、電圧制御発振回路を完全にフリーラン状態とすることができ、また、その際にスイッチング手段を同無効信号によりオフ状態とすることで、映像検波信号検出手段の検出結果（異常信号）が自動周波数同調電圧生成手段に入力されるのを阻止できるので、自動周波数同調電圧生成手段からフリーラン周波数と映像中間周波数との差を示した直流電圧を得ることができる。
【００２０】
つぎの発明にかかる映像中間周波処理装置にあっては、チューナから出力された映像中間信号を増幅する増幅手段と、制御電圧に応じた発振周波数の出力信号を出力するとともにフリーラン周波数調整電圧に応じてフリーラン周波数を変更する電圧制御発振回路と、前記増幅手段により増幅された映像中間信号と前記出力信号との位相検波をおこなう位相検波回路と、を具備し、前記位相検波回路の位相検波結果に基づいて得られる信号を前記制御電圧として前記電圧制御発振回路に入力する位相同期ループ手段と、前記出力信号を用いて、前記増幅手段により増幅された映像中間信号に対する映像検波をおこない、映像検波信号を出力する映像信号検波手段と、前記出力信号の周波数変化を直流電圧に変換するとともに、当該直流電圧を、前記映像中間信号の周波数が所定の映像中間周波数となるように前記チューナにフィードバック入力するための仮電圧として出力する自動周波数同調手段と、前記映像検波信号の弱電界状態または無信号状態を検出して異常信号を出力する映像検波信号検出手段と、前記仮電圧に基づいて、前記チューナにフィードバック入力する自動周波数同調電圧を生成して出力する一方、前記異常信号が入力された際には所定の自動周波数同調電圧を出力する自動周波数同調電圧生成手段と、無効信号に応じて、前記異常信号が前記自動周波数同調電圧生成手段に入力されるのを阻止する第１のスイッチング手段と、前記無効信号に応じて、前記制御電圧が前記電圧制御発振回路に入力されるのを阻止する第２のスイッチング手段と、を備えたことを特徴とする。
【００２１】
この発明によれば、電圧制御発振回路のフリーラン周波数の調整をおこなう際に、第２のスイッチング手段に無効信号（後述するＳＷ制御信号に相当する。）を入力することで、制御電圧が電圧制御発振回路に入力されずに、電圧制御発振回路を完全にフリーラン状態とすることができ、また、その際に第１のスイッチング手段を同無効信号によりオフ状態とすることで、映像検波信号検出手段の検出結果（異常信号）が自動周波数同調電圧生成手段に入力されるのを阻止できるので、自動周波数同調電圧生成手段からフリーラン周波数と映像中間周波数との差を示した直流電圧を得ることができる。
【００２２】
つぎの発明にかかる映像中間周波処理装置にあっては、上記発明において、映像信号処理におけるノイズ・リダクション処理やＹ／Ｃ分離処理等の各種処理モードを設定するために各構成回路に接続されたバスを備え、前記無効信号は、前記バスを介して入力されることを特徴とする。
【００２３】
この発明によれば、フリーラン周波数の変化が直流電圧の変化として得られるとともに、無効信号を、バスを介して入力することができるので、自動周波数同調電圧生成手段から直流電圧をマイコンで読み取る動作とともに、フリーラン周波数の自動調整が可能となる。
【００２４】
つぎの発明にかかる映像中間周波処理装置にあっては、上記発明において、前記電圧制御発振回路は、ザッピング手段を設け、フリーラン周波数調整電圧を決定する抵抗を、ザッピングにより設定されることを特徴とする。
【００２５】
この発明によれば、フリーラン周波数調整電圧をザッピング手段により固定のバイアス値として選択できるので、チップのモールド封止前のウエハの段階で、上記発明にかかるフリーラン周波数の調整を実行して、ある程度トリミングさせることができる。
【００２６】
つぎの発明にかかる映像中間周波処理装置にあっては、上記発明において、前記ザッピング手段は、メタルヒューズまたはツエナーダイオードから構成されることを特徴とする。
【００２７】
この発明によれば、ザッピング手段として一般的なメタルヒューズまたはツエナーダイオードを電圧制御発振回路に設けることができ、ザッピング処理を簡易なものとすることができる。
【００２８】
【発明の実施の形態】
以下に、この発明にかかる映像中間周波処理装置の実施の形態を図面に基づいて詳細に説明する。なお、この実施の形態によりこの発明が限定されるものではない。
【００２９】
実施の形態１．
まず、実施の形態１にかかる映像中間周波処理装置について説明する。実施の形態１にかかる映像中間周波処理装置は、フリーラン周波数の調整をおこなう際に、従来の映像中間周波処理装置を構成するＶＩＦ＿ＡＭＰ１１のゲインを上記したバス・インターフェース回路を介して入力された信号に応じて最小にすることができるとともに、その信号に応じてＩＦ＿ＡＧＣ回路１３の検出結果がＡＦＴ＿ＤＥＦＥＡＴ回路１９に入力されるのを阻止することで、ＡＦＴ＿ＤＥＦＥＡＴ回路１９から出力されたＡＦＴ電圧を調整の確認に用いることを特徴としている。
【００３０】
図１は、実施の形態１にかかる映像中間周波処理装置の概略構成を示すブロック図である。なお、図１において、図３と共通する部分については同一符号を付して、その説明を省略する。図１に示す映像中間周波処理装置１００は、パッドＰ１を介して入力されたＶＩＦ信号を増幅するＶＩＦ＿ＡＭＰ１０１と、映像信号検波回路（ＶＩＤＥＯ＿ＤＥＴ．）１２と、ＩＦ＿ＡＧＣ回路１３と、ＡＰＣ１５と、ＶＣＯ１６と、ＡＦＴ回路１８と、ＡＦＴ＿ＤＥＦＥＡＴ回路１９と、ロック検出器（ＬＯＣＫ＿ＤＥＴ．）２０と、スイッチＳＷ１と、を備えて構成される。
【００３１】
特に、図１において、ＶＩＦ＿ＡＭＰ１０１は、バス・インターフェース回路（図示せず）を介して外部より入力されたモード信号（ＶＩＦ＿ＤＥＦＥＡＴ信号）に応じて、そのゲインを最小にするＶＩＦ＿ＤＥＦＥＡＴ機能を有している。これにより、従来のように、ＡＧＣ電圧をＧＮＤにするためのスイッチを外部に設ける必要はない。
【００３２】
また、スイッチＳＷ１は、ＩＦ＿ＡＧＣ回路１３による弱電界等の検出結果をＡＦＴ＿ＤＥＦＥＡＴ回路１９に送信するための配線上に配置されており、オフ状態によって、上記検出結果がＡＦＴ＿ＤＥＦＥＡＴ回路１９に入力されるのを阻止する。なお、このスイッチＳＷ１は、上記したＶＩＦ＿ＤＥＦＥＡＴ信号の入力によりオフ状態に移行する。
【００３３】
つぎに、フリーラン周波数の調整時における映像中間周波処理装置の動作とその調整方法について説明する。まず、バス・インターフェース回路（図示せず）を介して、ＶＩＦ＿ＡＭＰ１０１にＶＩＦ＿ＤＥＦＥＡＴ信号が入力されることで、ＶＩＦ＿ＡＭＰ１０１のゲインが最小となり、ＶＣＯ１６が完全なフリーラン状態となる。
【００３４】
この際、従来の回路構成では、ＶＩＦ＿ＡＭＰ１０１から出力される信号のレベルは低下し、それにともなってＶＩＤＥＯ＿ＤＥＴ．１２による映像検波信号のレベルもまた低下するため、ＩＦ＿ＡＧＣ回路１３は、この状態を弱電界状態または無信号状態として検出し、ＡＦＴ＿ＤＥＦＥＡＴ回路１９が動作して、ＡＦＴ電圧はＶCC／２に固定されてしまう。
【００３５】
そこで、本実施の形態にかかる映像中間周波処理装置では、フリーラン周波数の調整時に、ＡＦＴ電圧がＶCC／２に固定されるのを避けるために、上記したＶＩＦ＿ＤＥＦＥＡＴ信号をスイッチＳＷ１に入力することで、ＶＩＦ＿ＤＥＦＥＡＴ機能を無効にする。これにより、フリーラン周波数の調整時においても、ＡＦＴ回路１８から出力されたＤＣ電圧をパッドＰ５において測定することができる。
【００３６】
ここで、ＬＯＣＫ＿ＤＥＴ．２０は、ＰＬＬのロックが外れて、ＶＩＤＥＯ＿ＤＥＴ．１２からビート信号が出ている場合、そのビート信号の波形のピークＤＣ値が無信号時のＤＣ値より高くなることを利用してロックの判定をしている。よって、無信号時と同じＤＣが出力されるＶＩＦ＿ＤＥＦＥＡＴ状態では、ＬＯＣＫ＿ＤＥＴ．２０はロックしている状態と判断し、ＡＦＴ＿ＤＥＦＥＡＴ回路１９に対してロックが外れた状態の信号は入力されない。
【００３７】
一方、ＡＦＴ回路１８は、上述した従来の動作と同様に、ＶＣＯ１６の発振周波数と映像中間周波数ｆ0との差を、その差に応じたＤＣ電圧として出力する。そこで、本実施の形態では、このＤＣ電圧をＶＣＯ１６のフリーラン周波数の調整確認に利用する。
【００３８】
すなわち、ＶＩＦ＿ＤＥＦＥＡＴ機能を動作させることで、ＶＣＯ１６は完全にフリーラン状態となり、このときこのフリーラン周波数と映像中間周波数ｆ0との差が、パッドＰ５からＤＣ電圧として出力されるために、このＤＣ電圧を測定することで、ＶＣＯ１６に入力するフリーラン周波数調整電圧の値を適切なものとすることができる。
【００３９】
具体的には、パッドＰ５から出力されたＤＣ電圧がＶCC／２となるように、フリーラン周波数調整電圧を選択することで、フリーラン周波数を正確に映像中間周波数ｆ0に設定することができる。
【００４０】
以上に説明したとおり、実施の形態１にかかる映像中間周波処理装置によれば、フリーラン周波数の調整をおこなう際に、ＶＩＦ＿ＡＭＰ１０１にＶＩＦ＿ＤＥＦＥＡＴ信号を入力することで、そのＶＩＦ＿ＡＭＰ１０１のゲインを最小にするので、ＶＣＯ１６を完全にフリーラン状態とすることができる。また、その際にスイッチＳＷ１をオフ状態にすることで、ＩＦ＿ＡＧＣ回路１３の検出結果がＡＦＴ＿ＤＥＦＥＡＴ回路に入力されるのを阻止でき、フリーラン周波数と映像中間周波数ｆ0との差をＤＣ電圧としてパッドＰ５から得ることができる。これにより、高価なスペクトルアナライザ等を使用しなくても、パッドＰ５に通常の電圧計やオシロスコープ等の簡易な測定器を接続することで、非常に容易に周波数差の測定をおこなうことができる。
【００４１】
また、このようにフリーラン周波数の変化がＤＣ電圧の変化として得られるとともに、上記したＶＩＦ＿ＤＥＦＥＡＴ機能を、バス・インターフェース回路（図示せず）を介して入力されたＶＩＦ＿ＤＥＦＥＡＴ信号に応じて発現させることができるので、パッドＰ５から出力されたＤＣ電圧をマイコンで読み取ることにより、フリーラン周波数の自動調整も可能となる。また、ＩＣによってはＡＦＴ電圧をバスで出力しているものもあり、このバス上に伝送されたＡＦＴ電圧を用いても自動調整は同様に可能である。
【００４２】
なお、従来の映像中間周波処理装置と同様に、フリーラン周波数調整電圧を与える手段として、外部のマイコンからの調整信号をＩＣ内のバス・インターフェース回路にて用いられているＡ／ＤコンバータによってＤＣ変換して与えてもよい。
【００４３】
実施の形態２．
つぎに、実施の形態２にかかる映像中間周波処理装置について説明する。実施の形態２にかかる映像中間周波処理装置は、フリーラン周波数の調整をおこなう際に、従来の映像中間周波処理装置を構成するＰＬＬにおいて、ＡＰＣから出力された制御電圧がＶＣＯに入力されるのを上記したバス・インターフェース回路を介して入力されたＳＷ制御信号に応じて阻止することができるとともに、そのＳＷ制御信号に応じてＩＦ＿ＡＧＣ回路１３の検出結果がＡＦＴ＿ＤＥＦＥＡＴ回路１９に入力されるのを阻止することで、ＡＦＴ＿ＤＥＦＥＡＴ回路１９から出力されたＡＦＴ電圧を調整の確認に用いることを特徴としている。
【００４４】
図２は、実施の形態２にかかる映像中間周波処理装置の概略構成を示すブロック図である。なお、図２において、図３と共通する部分については同一符号を付して、その説明を省略する。図２に示す映像中間周波処理装置２００は、パッドＰ１を介して入力されたＶＩＦ信号を増幅するＶＩＦ＿ＡＭＰ１１と、映像信号検波回路（ＶＩＤＥＯ＿ＤＥＴ．）１２と、ＩＦ＿ＡＧＣ回路１３と、ＡＰＣ１５と、ＶＣＯ１６と、ＡＦＴ回路１８と、ＡＦＴ＿ＤＥＦＥＡＴ回路１９と、ロック検出器（ＬＯＣＫ＿ＤＥＴ．）２０と、スイッチＳＷ１と、スイッチＳＷ２と、を備えて構成される。
【００４５】
特に、図２において、スイッチＳＷ１は、実施の形態１と同様に、ＩＦ＿ＡＧＣ回路１３による弱電界等の検出結果をＡＦＴ＿ＤＥＦＥＡＴ回路１９に送信するための配線上に配置されており、オフ状態によって、上記検出結果がＡＦＴ＿ＤＥＦＥＡＴ回路１９に入力されるのを阻止する。なお、このスイッチＳＷ１は、バス・インターフェース回路（図示せず）を介して外部より入力されたモード信号（ＳＷ制御信号）の入力によりオフ状態に移行する。
【００４６】
また、図２において、スイッチＳＷ２は、ＡＰＣ１５から出力された制御電圧をＶＣＯ１６に入力するための配線上に配置されており、オフ状態によって、上記制御電圧がＶＣＯ１６に入力されるのを阻止する。なお、このスイッチＳＷ２は、スイッチＳＷ１とともに、上記したＳＷ制御信号の入力によりオフ状態に移行する。
【００４７】
すなわち、スイッチＳＷ２がオフ状態となることで、ＶＣＯ１６に制御電圧が入力されず、これによりＶＣＯ１６を完全にフリーラン状態にするという目的が達せられる。よって、従来のように、ＡＧＣ電圧をＧＮＤにするためのスイッチを外部に設ける必要はない。
【００４８】
つぎに、フリーラン周波数の調整時における映像中間周波処理装置の動作とその調整方法について説明する。まず、バス・インターフェース回路（図示せず）を介して、スイッチＳＷ２にＳＷ制御信号が入力されることで、ＡＰＣ１５の制御電圧出力端子とＶＣＯ１６の制御電圧入力端子との接続が切り離され、ＶＣＯ１６が完全なフリーラン状態となる。ここで、このフリーラン周波数の調整時においては、パッドＰ１にＶＩＦ信号を入力しないものとする。
【００４９】
よって、ＶＩＤＥＯ＿ＤＥＴ．１２は正しく検波動作をおこなうことができず、出力される映像検波信号のレベルが低下するため、従来の回路構成では、ＩＦ＿ＡＧＣ回路１３は、この状態を弱電界状態または無信号状態として検出し、ＡＦＴ＿ＤＥＦＥＡＴ回路１９が動作して、ＡＦＴ電圧はＶCC／２に固定されてしまう。
【００５０】
そこで、本実施の形態にかかる映像中間周波処理装置においても、実施の形態１と同様に、フリーラン周波数の調整時に、ＡＦＴ電圧がＶCC／２に固定されるのを避けるために、上記したＳＷ制御信号をスイッチＳＷ１に入力することで、ＡＦＴ＿ＤＥＦＥＡＴ機能を無効にする。これにより、フリーラン周波数の調整時においても、ＡＦＴ回路１８から出力されたＤＣ電圧をパッドＰ５において測定することができる。
【００５１】
ここで、ロック検出器２０は、実施の形態１と同様に、無信号時と同じＤＣが出力されるＶＩＦ＿ＤＥＦＥＡＴ状態を、ロックしている状態と判断し、ＡＦＴ＿ＤＥＦＥＡＴ回路１９に対してロックが外れた状態の信号は入力されない。
【００５２】
一方、ＡＦＴ回路１８は、上述した従来の動作と同様に、ＶＣＯ１６の発振周波数と映像中間周波数ｆ0との差を、その差に応じたＤＣ電圧として出力するので、本実施の形態においても、実施の形態１と同様に、このＤＣ電圧をＶＣＯ１６のフリーラン周波数の調整確認に利用する。
【００５３】
以上に説明したとおり、実施の形態２にかかる映像中間周波処理装置によれば、フリーラン周波数の調整をおこなう際に、上記したバス・インターフェース回路を介して入力されたＳＷ制御信号に応じてスイッチＳＷ２をオフ状態とすることにより、ＡＰＣ１５から出力された制御電圧がＶＣＯ１６に入力されるのが阻止されるので、ＶＣＯ１６を完全にフリーラン状態とすることができる。また、その際にスイッチＳＷ１をもオフ状態とすることで、ＩＦ＿ＡＧＣ回路１３の検出結果がＡＦＴ＿ＤＥＦＥＡＴ回路１９に入力されるのを阻止するので、フリーラン周波数と映像中間周波数ｆ0との差をＤＣ電圧としてパッドＰ５から得ることができる。これにより、高価なスペクトルアナライザ等を使用しなくても、パッドＰ５に通常の電圧計やオシロスコープ等の簡易な測定器を接続することで、非常に容易に周波数差の測定をおこなうことができる。
【００５４】
また、このようにフリーラン周波数の変化がＤＣ電圧の変化として得られるとともに、上記したＳＷ制御信号を、バス・インターフェース回路（図示せず）を介して入力させることができるので、パッドＰ５から出力されたＤＣ電圧をマイコンで読み取ることで、フリーラン周波数の自動調整も可能となる。また、ＩＣによってはＡＦＴ電圧をバスで出力しているものもあり、このバス上に伝送されたＡＦＴ電圧を用いても自動調整は同様に可能である。
【００５５】
なお、従来の映像中間周波処理装置と同様に、フリーラン周波数調整電圧を与える手段として、外部のマイコンからの調整信号をＩＣ内のバス・インターフェース回路にて用いられているＡ／ＤコンバータによってＤＣ変換して与えてもよい。
【００５６】
実施の形態３．
つぎに、実施の形態３にかかる映像中間周波処理装置について説明する。実施の形態３にかかる映像中間周波処理装置は、フリーラン周波数の調整をおこなう際に、実施の形態１および２において、ＶＣＯ１６に入力するフリーラン周波数調整電圧を固定のバイアス値とし、この固定値をチップのモールド封止前のウエハの段階で、ザッピングによって、ある程度トリミングさせることを可能にしたことを特徴としている。
【００５７】
ここで、ザッピングについて説明する。従来より、半導体ＬＳＩでは、完成品の歩留まりをあげたりまたは種々の機能をオプションとして持たせるために種々の調整回路がＩＣ内部に組み込まれている。ザッピングは、この調整回路によるトリミング方法の一つであり、ザッピング素子となるツェナーダイオードやメタルヒューズの破壊を利用している。
【００５８】
本実施の形態では、まず、フリーラン周波数調整電圧となる固定のバイアス値を決定する抵抗ごとに並列に、例えばツエナーダイオードをいくつか接続しておく。そして、ＩＣ製造上のウエハテストの段階で、実施の形態１および２の方法で、ＡＦＴ電圧を測定しながら、所望のツエナーダイオードのｐｎ接合間に逆方向に過大な電力を印加して、そのツエナーダイオードを破壊することにより並列に接続された抵抗値を等価的に０Ωとする（ダイオードをショート状態にする）。これにより、フリーラン周波数調整電圧となる固定のバイアス値のトリミングをおこなうことができる。
【００５９】
以上に説明したとおり、実施の形態３にかかる映像中間周波処理装置によれば、フリーラン周波数調整電圧となる固定のバイアス値をツエナーザッピングなどの方法による調整回路を設け、チップのモールド封止前のウエハの段階で、実施の形態１および２に基づくフリーラン周波数の調整を実行して、ある程度トリミングさせることができるので、モールド封止後の完成したＩＣにおいてフリーラン周波数を調整する必要がなくなり、ＴＶセット製造上の合理化に貢献することができる。
【００６０】
【発明の効果】
以上、説明したとおり、この発明によれば、電圧制御発振回路のフリーラン周波数の調整をおこなう際に、増幅手段に無効信号（上記ＶＩＦ＿ＤＥＦＥＡＴ信号に相当する。）を入力することで、その増幅手段のゲインを最小にして、電圧制御発振回路を完全にフリーラン状態とすることができ、また、その際にスイッチング手段を同無効信号によりオフ状態とすることで、映像検波信号検出手段の検出結果（異常信号）が自動周波数同調電圧生成手段に入力されるのを阻止できるので、自動周波数同調電圧生成手段からフリーラン周波数と映像中間周波数との差を示した直流電圧を得ることができるので、従来のように高価なスペクトルアナライザ等を使用しなくても、自動周波数同調電圧生成手段の出力端子に通常の電圧計やオシロスコープ等の簡易な測定器を接続することで、非常に容易に周波数差の測定をおこなうことができるという効果を奏する。
【００６１】
つぎの発明によれば、電圧制御発振回路のフリーラン周波数の調整をおこなう際に、第２のスイッチング手段に無効信号（上記ＳＷ制御信号に相当する。）を入力することで、制御電圧が電圧制御発振回路に入力されずに、電圧制御発振回路を完全にフリーラン状態とすることができ、また、その際に第１のスイッチング手段を同無効信号によりオフ状態とすることで、映像検波信号検出手段の検出結果（異常信号）が自動周波数同調電圧生成手段に入力されるのを阻止できるので、自動周波数同調電圧生成手段からフリーラン周波数と映像中間周波数との差を示した直流電圧を得ることができるので、従来のように高価なスペクトルアナライザ等を使用しなくても、自動周波数同調電圧生成手段の出力端子に通常の電圧計やオシロスコープ等の簡易な測定器を接続することで、非常に容易に周波数差の測定をおこなうことができるという効果を奏する。
【００６２】
つぎの発明によれば、フリーラン周波数の変化が直流電圧の変化として得られるとともに、無効信号を、バスを介して入力することができるので、自動周波数同調電圧生成手段から直流電圧をマイコンで読み取る動作とともに、フリーラン周波数の自動調整が可能となり、フリーラン周波数の調整作業をより簡易にすることができるという効果を奏する。
【００６３】
つぎの発明によれば、フリーラン周波数調整電圧をザッピング手段により固定のバイアス値として選択できるので、チップのモールド封止前のウエハの段階で、上記発明にかかるフリーラン周波数の調整を実行して、ある程度トリミングさせることができるので、モールド封止後の完成したＩＣにおいてフリーラン周波数を調整する必要がなくなり、ＴＶセット製造上の合理化に貢献することができるという効果を奏する。
【００６４】
つぎの発明によれば、ザッピング手段として一般的なメタルヒューズまたはツエナーダイオードを電圧制御発振回路に設けることができ、ザッピング処理を簡易なものとすることができるという効果を奏する。
【図面の簡単な説明】
【図１】  実施の形態１にかかる映像中間周波処理装置の概略構成を示すブロック図である。
【図２】  実施の形態２にかかる映像中間周波処理装置の概略構成を示すブロック図である。
【図３】  従来の映像中間周波処理装置の概略構成を示すブロック図である。
【符号の説明】
１１，１０１  ＶＩＦ＿ＡＭＰ、１２  映像信号検波回路（ＶＩＤＥＯ＿ＤＥＴ．）、１３  ＩＦ＿ＡＧＣ回路、１５  ＡＰＣ回路、１６  ＶＣＯ、１７  ＡＰＣフィルタ、１８  ＡＦＴ回路、１９  ＡＦＴ＿ＤＥＦＥＡＴ回路、２０  ロック検出器（ＬＯＣＫ＿ＤＥＴ．）、１００，２００  映像中間周波処理装置、１０２  ＩＦ＿ＡＧＣフィルタ、Ｐ１〜Ｐ５  パッド、ＳＷ１，ＳＷ２  スイッチ。
【図１】
0004462729.tif 000002
【図２】
0004462729.tif 000003
【図３】
0004462729.tif 000004